(57)【要約】コンテンツ情報を記憶するためにオンボードメモリをもつモバイルＣＥ装置のユーザにサービスが提供される。通信経路が装置に確立されたことに応じて、装置は、記憶されているコンテンツ情報を新たなコンテンツ情報により条件付きで上書きされ、メモリが実質的に満たされた状態にされる。ユーザは、上書きのための条件を制御することが可能となる。
2006524857.tif 000002
【特許請求の範囲】
【請求項１】
モバイル家電装置のユーザにサービスを提供する方法であって、
前記装置における使用のためにメモリへの通信経路が確立されたことに応じて、前記メモリが実質的に満たされた状態にするため、前記メモリに記憶されているコンテンツ情報を新たなコンテンツ情報により条件付きで上書きするのを始動するステップを有する、
ことを特徴とする方法。
【請求項２】
前記始動するステップは、前記記憶されているコンテンツ情報の特定のアイテムを上書きするための条件を決定するステップと、
条件が合致した場合にのみ特定のアイテムを上書きするステップと、
を有する請求項１記載の方法。
【請求項３】
前記ユーザは、前記条件を指定することが許可される、
請求項２記載の方法。
【請求項４】
前記サービスのプロバイダは、前記条件を指定することが許可される、
請求項２記載の方法。
【請求項５】
前記条件は、前記ユーザの許可を含む、
請求項２記載の方法。
【請求項６】
前記ユーザのプロファイルに基づいて新たなコンテンツ情報を選択するステップを含む、
請求項１記載の方法。
【請求項７】
前記データ経路は、前記ユーザの制御下で確立される、
請求項１記載の方法。
【請求項８】
前記データ経路は、サービスプロバイダの制御下で確立される、
請求項１記載の方法。
【請求項９】
前記装置は、輸送手段に収容される、
請求項１記載の方法。
【請求項１０】
前記条件は、記憶されるコンテンツ情報の意味の態様に依存する、
請求項２記載の方法。
【請求項１１】
コンテンツ情報をレンダリングするためのモバイルＣＥ装置であって、
コンテンツ情報を記憶するためのメモリと、
新たなコンテンツ情報を受信するために外部リソースとの通信経路を確立するための通信手段と、
前記メモリが実質的に満たされた状態にするため、前記メモリにおけるコンテンツ情報を新たなコンテンツ情報により条件付きで上書きするための制御手段と、
を有する装置。
【請求項１２】
条件付き上書きのための条件をユーザが指定するのを可能にするためのユーザインタフェースを有する、
請求項１１記載の装置。
【請求項１３】
前記リソースと通信するためにユーザの識別子を記憶する、
請求項１１記載の装置。
【請求項１４】
前記識別子はユーザのプロファイルを有する、
請求項１３記載の装置。
【請求項１５】
前記メモリは、エンドユーザにより前記装置から取り外し可能又は切り離し可能である、
請求項１１記載の装置。
【請求項１６】
コンテンツ情報をレンダリングするために装置との使用のためのモジュールであって、
コンテンツ情報を記憶するためのメモリと、
新たなコンテンツ情報を受信するために外部リソースとの通信経路を確立するための通信手段と、
前記メモリを実質的に満たされた状態にするため、前記メモリにおけるコンテンツ情報を新たなコンテンツ情報により条件付きで上書きするための制御手段と、
を有することを特徴とするモジュール。
【請求項１７】
リポジトリからクライアントのメモリへのコンテンツ情報の転送の制御のためのソフトウェアアプリケーションであって、
前記アプリケーションは、前記メモリが前記リポジトリに接続されるのに応じて実質的に満たされた状態とするため、前記メモリに記憶されているコンテンツ情報が前記リポジトリからの新たなコンテンツ情報により条件付きで上書きされるように作用する、
ことを特徴とするアプリケーション。
【請求項１８】
前記記憶されているコンテンツを上書きするためにクライアントのユーザが条件を指定するのを可能にするために構成される、
請求項１７記載のアプリケーション。
【請求項１９】
モバイルクライアントにインストールされる、
請求項１７記載のアプリケーション。
【発明の詳細な説明】
【技術分野】
【０００１】
本発明は、家電（CE:  Consumer  Electronics）装置でレンダリングするためにコンテンツ情報を提供することに関する。本明細書で使用されるＣＥコンテクストでのコンテンツ情報は、オーディオ、ビデオ、静止画像、写真、ゲーム等である。本発明は、特に、排他するものではないが、ポータブル、モバイル及び／又はウェアラブルＣＥ装置に関する。
【背景技術】
【０００２】
電子メモリ、磁気メモリ及び光メモリの記憶容量が過去十年に対して堅実に増加し続けてきているという事実にもかかわらず、熱狂的なエンドユーザのコンテンツ情報は、彼／彼女のレンダリング装置、特にポータブル又はモバイルＣＥレンダリング装置のいずれかの記憶容量への制約を容易に発見する傾向にある。データネットワーク上のセキュアサーバでの記憶容量をユーザに軽減させるインターネットサービスが出現している。ユーザは、彼／彼女のデータにアクセスするため、インターネットサービスに接続する可能である必要があるが、現在、インターネットへのワイヤレス高速アクセスを提供するインフラストラクチャは非常に少なく、ユーザがコネクションポイントのレンジ内でうろうろしている場合にのみである。かかるワイヤレスサービスの例は、サンフランシスコのベイアリアで利用可能なＲｉｃｏｃｈｅｔネットワークである。
【０００３】
したがって、ポータブルデバイスの記憶容量が、ユーザに関連しているか又はユーザに関連する全てのコンテンツ情報を記憶するために不十分であると考えられる場合、ソリューションは、装置を介して全ての関連するコンテンツ情報へのアクセスを容易にすることである。
【発明の開示】
【課題を解決するための手段】
【０００４】
したがって、本発明者は、ユーザのポータブル又はモバイルＣＥ装置で記憶されるコンテンツ情報を管理するためのコンテンツ管理インタフェースを提供する。インタフェースは、一方でユーザのポータブル又はモバイルＣＥ装置と他方でコンテンツリポジトリとの間で動作する。本方法は、好ましくはポータブル又はモバイルＣＥ装置のユーザにサービスを提供することが提案される。装置での使用のためにメモリに確立されている通信経路に応じて、メモリに記憶されるコンテンツ情報は、メモリが実質的に満たされた状態にするように、新たなコンテンツ情報により条件付きで上書きされる。通信経路の確立は、ユーザによる受信の確認に応じて、及び上書き動作を時間につれて良好に離れ続けるため、たとえばタイマの制御下で条件付き上書きを開始する。
【０００５】
本発明の実施の形態では、メモリは装置に統合されるか、さもなければ収容される。別の実施の形態では、メモリは、装置から取り外し可能なモジュールに収容される。好ましくは、ユーザは、記憶されたコンテンツ情報のどのアイテムが保持されるべきであって、どのような条件下であるかを示すことが許可される。次いで、これらのアイテムは、上書きされることから妨げられる。このようにして、装置は、コンテンツ情報のアイテムの目録により実質的に満たされたメモリを常に利用可能であり、その一部は、経路を確立することに応じて自動的にリフレッシュされ、その一部は、ユーザに指定されたとして保持される。このアプローチは、モバイル装置でのメモリリソースの使用を最大にする。
【０００６】
たとえばインターネットであるデータネットワーク上のリソースに装置を接続することに応じて、新たなコンテンツは、装置で自動的にダウンロードされ、ローカルに記憶される。選択的な上書きは、どの項目の記憶されているコンテンツ情報が保持されるべきかをユーザに示させることで達成される。保持されていることについて示されていないアイテムを含み、おそらく占有されていない部分を含んでいる装置のメモリの残りは、新たなコンテンツ情報で（上から）書き込まれる。結果として、装置は、コンテンツにより実質的に満たされたメモリを常に得ており、その一部は、ユーザによりパージされるまで、又はそれらの指示がユーザにより撤回されるまで保持され、その一部は、リソースへの接続に応じて自動的に上書きされる。
【０００７】
本発明の実施の形態は、オーディオ、ビデオ、静止画像、写真、ゲーム等のようなコンテンツ情報を再生するか、さもなければレンダリングするためのポータブル又はモバイル装置に関する。本装置は、たとえば、ハンドヘルド又はパームトップ装置を有している。本装置は、コンテンツ情報を記憶するためのメモリを有している。メモリは、装置に集積されるか、さもなければ収容され、若しくは代替的に、装置から取り外し可能なモジュールに収容される。装置は、新たなコンテンツ情報を受信するための外部リソースとの通信経路を確立するための通信手段、メモリを実質的に満たされた状態にするように、新たなコンテンツ情報でメモリにおけるコンテンツ情報を条件付きで上書きするための制御手段を有している。通信手段及び制御手段は、代替的に、メモリモジュールで収容される場合がある。装置又はモジュールは、たとえば、外部ネットワーク、ジュークボックス、ＰＣ、セットトップボックス、又はインターネット上の１以上のサーバ等といった外部リソースと通信するために構成される。通信手段は、外部リソースへの有線接続又は無線（たとえば、ＩＲ又はＲＦ）接続のための入力／出力を含んでいる。制御手段は、装置にフレッシュなコンテンツを供給するため、装置とリソースとの間のバランスされた、混合されたイニシアチブを形成するためのコンテンツ交換メカニズムをサポートする。制御手段は、以下に説明されるような幾つかの動作を決定するためのユーザオプションをもつソフトウェアプログラムに従って動作する、たとえば、装置又はモジュールに存在するマイクロコントローラを含んでいる。メカニズムは、たとえば装置自身で、適切なＵＩを通してメモリに記憶されるコンテンツ情報のそれぞれのアイテムにトランジェンスラベルをユーザが割り当てるのを可能にすることを含んでいる。トランジェンスラベルは、その条件下で割り当てられたコンテンツが削除又は上書きされる条件を示している。たとえば、１つのタイプのトランジェンスラベルは、割り当てられるアイテムが固定されていることを示している。すなわち、ユーザのみがこのアイテムを装置からパージすることが許可される。別のタイプのラベルは、システムとユーザの両者が関連するアイテムを削除する権利を有することを示している。さらに別のタイプのラベルは、システムのみが上書きすることが許可される装置でのアイテムに関する。後者に関して、たとえば、コンテンツ情報を受信するためにユーザが加入することができるインターネットでのサービスを考える。コンテンツの一部は、装置で記憶されたとき、サービスプロバイダがそれを上書きするのを決定するまで保持される。このコンセプトは、たとえば個人化された広告について使用することができる。それぞれのタイプのうち、その条件下でアイテムを消去することができる更なる条件を規定するためにサブカテゴリを使用することができる。たとえば、ラベルのサブカテゴリは、予め決定された時間量が経過された場合にアイテムを削除することができるか、又は上書きする新たなアイテムが所定の予め決定された特徴、たとえばユーザへのそのセマンティックな関係を含む場合にアイテムを削除することができる。このコンテクストのうち、1999年8月16日に提出された米国特許シリアル番号09/374,694号（代理人事件番号PHA23,737）“Chanda  Dharap  for  SEMANTIC  CACHING”に対して参照が行われ、引用により本明細書に盛り込まれ、以下に更に簡単に説明される。
【０００８】
このようにして、本発明は、装置で明示的に保持されるコンテンツを有するコンテンツ情報、及び確立されているリソースとの通信に応じてリフレッシュされるコンテンツ情報のバランスのよい目録（balanced  inventory）を有するための方法を提供する。
【０００９】
本発明の別の実施の形態では、モバイル装置は、たとえば自動車又は別の輸送手段に収容される（たとえば、トラック、モーターサイクル、原付、自転車、ボート）。装置は、たとえばオンボードエンターテイメントシステムの一部である。装置又は取り外し可能なモジュールは、車輌のコンテンツ目録の少なくとも１部をリフレッシュするように、たとえばホームネットワーク又はインターネットと通信するために構成される。たとえば、ガレージで自動車を駐車するのに応じて、装置又はモジュールは、そのコンテンツを一晩中リフレッシュするように、ＲＦリンクを介してホームネットワークのレンジにある。
【００１０】
先の例示的な実施の形態は、ＣＥコンテンツレンダリング装置がモバイルキャッシュとしてどのように使用されるかを例示しており、そのコンテンツは、コンテンツリソースへの接続に応じて条件付きでリフレッシュされる。このコンセプトは、たとえばインターネットでのサービスで、及びユーザのホームネットワークで将来的に使用することができる。
【００１１】
本発明の実施の形態は、個人の使用向けにコンテンツ情報をレンダリングするためのモバイル装置、メモリモジュール、モバイルクライアントのユーザへのサービス、及びこの機能をもつ装置を提供するようにモバイル装置にインストールされるソフトウェアを含んでいる。
【発明を実施するための最良の形態】
【００１２】
本発明は、例を介しつつ添付図面を参照して、以下に更に詳細に説明される。図面を通して、同じ参照符号は、類似又は対応する特徴を示している。
既に先に示されたように、本発明は、モバイルＣＥ装置のユーザにサービスを提供することに関する。装置はメモリである。通信経路が装置に対して確立されたことに応じて、装置は、新たなコンテンツ情報で、メモリに記憶されているコンテンツ情報を条件付きで上書きするようにされる。これにより、メモリは、新たなコンテンツのためのリソースへの接続に応じてリフレッシュされるコンテンツで実質的に満たされた状態にすることが可能となる。本明細書で使用されるように、副詞「条件付きで」に関して、条件は、その条件下で、記憶されたコンテンツ情報の１以上の特定のアイテムを上書きすることが決定される。アイテムは、条件が合致した場合にのみ上書きされる。この点における条件は、典型的に、セマンティクスに基づいた選択又は識別を含んでおり、コンテンツは、たとえばドキュメンタリ、映画、ニュース、音楽等といったエンドユーザにより意味のあるものとして知覚される。ユーザは、条件を指定することが可能となる。代替的に、又は補足的に、サービスプロバイダは、条件を指定することが可能となる。更に別の例として、新たなコンテンツ情報のための装置又はリソースの結合は、条件付きの上書きを自動的に最適化するのを可能にする装置の使用のパターンを抽出するのを可能にする場合がある。このコンテクストでは、米国特許第6,256,633号（代理人事件番号PHA23,422）のChanda  Dharapによる“CONTEXT-BASED  AND  USER-PROFILE  DRIVEN  INFORMATION  RETRIEVAL”が参照され、引用により本明細書に盛り込まれ、以下に簡単に説明される。条件は、たとえば、ユーザからの許可、サービスプロバイダの制御下での１以上の基準、アイテムのセマンティックアスペクト（意味の態様：semantic  aspect）、コンテンツ情報アイテムのタイプ又はフォーマット（たとえば、アーディオファイル、ビデオファイル、ＨＴＭＬファイル［web  page］、テキストファイル、イメージファイル）、ダウンロードからの経過時間等、若しくはその組み合わせを含んでいる場合がある。好ましくは、記憶されたコンテンツ情報を（部分的に）上書きするための新たなコンテンツ情報は、ユーザ履歴によるか、又は宣言された関心により決定されたユーザプロファイルに基づいている。
【００１３】
データ経路は、ユーザの制御下で確立することができる。たとえば、ユーザは、直接的に又はデータネットワークを介して、装置をコンテンツ情報のソースに物理的に接続することで通信経路を確立するのを開始する。代替的に、ユーザは、装置をリソースへの無線リンクのレンジに移動し、装置を介して、予め決定された条件下で彼／彼女が記憶されたコンテンツがリフレッシュされるのを望むことを確認する。別の例として、サービスプロバイダは、たとえば装置の存在の検出に応じて、装置への通信経路を確立するのを開始する。このコンテクストでは、たとえば、2000年8月10日に提出された米国特許シリアル番号09/635,548号（代理人事件番号US000107）のEugene  Shteyn及びPaul  Rankinによる“MOBILE  MICRO  PORTAL”を参照されたい。引用により本明細書に盛り込まれ、以下に更に簡単に説明される。
【００１４】
このテキストで使用される用語「モバイル」及び「ポータブル」は、「ウェアラブル」をも含んでいる。用語「ウェアラブルエレクトロニクス」は、たとえばプロフェッショナル又はレジャークロシング、ジュエリー又は他の個人の装飾に物理的に統合される装置を言及するものであって、電子回路及びＨＤＤの進行する小型化により可能にされる。このコンテクストで、ウェアラブル電子装置は、パーソナルエリアネットワーク（ＰＡＮ）の一部を形成する場合がある。ＰＡＮのより多くの背景について、たとえば、2001年7月5日に提出された米国特許シリアル番号09/900,375号（代理人事件番号US018098）のEugene  Shteynによる“DIAL  FACE  OF  WATCH  GRAPHICALLY”を参照されたい。引用により本明細書に盛り込まれ、以下に更に簡単に説明される。
【００１５】
図１は、本発明に係るシステム１００のブロック図である。システム１００は、モバイル装置１０２、及びこの例ではネットワーク１０６を介して通信するリポジトリ（repository）１０４を有している。ネットワークの代わりに、装置１０２とリポジトリ１０４との間のコネクションは、たとえばケーブル又はドッキングステーション等を介して、他の例において確立される。装置１０２とリポジトリ１０４との間のリンクは、無線又は有線とすることができる。装置１０２は、装置１０２に記憶されるコンテンツ情報を再生（play-out）し、リポジトリ１０４と通信するために構成されている。
【００１６】
装置１０２は、たとえば専用のコンテンツレンダリング装置又は汎用のパームトップ又はラップトップコンピュータ、若しくはモバイルフォンである。リポジトリ１０４は、その目録から選択されたコンテンツ情報を装置１０２に供給するために構成されている。リポジトリ１０４は、たとえば、ＰＣ、ジュークボックス、シートトップボックス又はデジタルビデオレコーダ（ＤＶＲ）に収容されており、ホームネットワークに分散されるやり方で利用可能であるか、インターネット上で利用可能であるか、若しくは別のモバイル装置に収容される。リポジトリ１０４は、地理的に集約されたシステムである必要はなく、分散システムとすることができる。分散された混成のコンテンツ処理システムからなるこのコンテクストでで、米国特許シリアル番号09/568,932（代理人事件番号US000106）が参照され、引用により本明細書に盛り込まれ、以下に更に簡単に説明される。
【００１７】
装置１０２は、プレイアウト又は他のレンダリングのためにコンテンツ情報を記憶するためのメモリ１０８を有している。メモリ１０８は、記憶の制御を可能にし、装置１０２とのユーザインタラクションを容易にするのを可能にする制御情報をも記憶している。システム１００は、リポジトリ１０４から装置１０２へのコンテンツの転送を管理するためのソフトウェア１１０を更に有している。示される例では、アプリケーション１１０は、リポジトリ１０４に収容され、他の実施の形態では、装置１０２に存在するか、若しくは装置１０２、ネットワーク１０６及びリポジトリ１０４の間に分散することができる。
【００１８】
装置１０２は、レンダリングのためにメモリ１０８に記憶されているコンテンツを選択し、メモリ１０８におけるコンテンツをローカルに管理するため、ユーザが装置１０２を制御するのを可能にするユーザインタフェース（ＵＩ）１１２を有している。この例では、ユーザは、１以上の条件を指定することができ、この条件下で、メモリ１０８に記憶されているコンテンツは、リポジトリ１０８からの新たな又はフレッシュなコンテンツで上書きすることが許可される。たとえば、ユーザは、彼／彼女がメモリ１０８に記憶される全てのニュース−フラッシュがリポジトリ１０４への接続に応じて現在のニュースで上書きされるのを望むことを指定することができる。ユーザは、ＵＩ１１２を介してキーワードを通して前もってユーザにより指定されたとき、カテゴリから選択された多くとも５つのニュースフラッシュが記憶されるのを前もって指定している場合がある。同じユーザは、特定の演奏者からの新たな歌がリポジトリ１０４から利用可能となる場合に、せいぜい２つの記憶された音楽ファイルが４日の期間が経過する前に上書きされるという条件下で、彼／彼女が少なくとも４日間音楽ファイルを保持するのを望むことを示すことができる。別の例として、リポジトリ１０４が装置１０２に接続されるたびに、固定されたパーセンテージの記憶されたコンテンツが保持されることをユーザは指定する場合がある。条件に従ってリポジトリ１０４から装置１０２にコンテンツを転送するため、システム１００を構成することは、たとえば装置１０２を介するか、又は別の装置を介して前もって行うことができる。
【００１９】
示される例では、メモリ１０８は、本実施の形態ではテーブル１１４において、リフレッシュ条件を表す制御情報を有している。テーブル１１４は、ヘッダ“ｆｌａｇ”、“ｄａｔｅ”、“ｔｙｐｅ”、“ｏｖｅｒｗｒｉｔｅ  ｉｆ”及び“ｔｉｔｌｅ”のそれぞれをもつ、列１１６，１１８，１２０，１２２及び１２４を有している。列１１６は、それぞれの部分のコンテンツ情報について、ユーザがそれ（“fixed”）を保持するのを望むか、又は上書きされるのを可能にするか（“fluid”）を示している。列１１８は、メモリ１０８へのそのダウンロードの時間及び／又は日付をそれぞれの部分について示している。列１２０は、たとえば、“ｎｅｗｓ”、“ａｕｄｉｏ  ｃｌｉｐ”、“ｐｉｃｔｕｒｅ”、“ｗｅｂ  ｐａｇｅ”等といったそのセマンティックタイプをそれぞれの部分について示している。列１２２は、それぞれの部分についての条件を示しており、その条件下で、関連する部分がリポジトリ１０４からの新たなコンテンツにより上書きすることができる。なお、条件は、メモリ１０４に記憶されたコンテンツの他の部分に依存する場合がある。たとえば、ビデオクリップに関するユーザの保持のポリシーは、メモリ１０８がニュースアイテムを記憶するために十分な記憶容量を有するかに依存している。そうでない場合、ユーザは、ウォールストリート及び中東に関する新たなフラッシュを取得するためにビデオクリップを犠牲にするのを望む場合がある。列１２４は、メモリ１０８におけるコンテンツの関連部分の簡単な説明を与える。さらに、ユーザは、セマンティックタイプ当たりの異なる条件を指定する場合がある。
【００２０】
動作は、更に以下のようなものである。装置１０２をリポジトリ１０４に接続することに応じて、アプリケーション１１０は、たとえばユーザＩＤ又はデバイスＩＤ１２８に基づいて、ユーザプロファイル１２６を検索する。この例では、プロファイル１２６は、装置１０２への前のダウンロードに関する情報、このユーザの好みに関する情報、並びに、テーブル１１４の列１１６及び１２２における条件により表されるユーザの保持のポリシーに関連する条件の情報を有している。このプロファイルは、装置１０２で完全な形で、リポジトリ１０４で完全な形で記憶されている場合があり、ネットワーク１０６のアプリケーションサーバ（図示せず）で記憶される場合があるか、又はそれらの間で分散される場合もある。装置１０２とリポジトリ１０４との間でコネクションが確立されるのに応じて、どの位多くのメモリ１０８の記憶容量がどのコンテンツで上書きされるかが判定される。指定される条件は、これを制御するのを可能にする。不明確さの場合には、アプリケーション１１０は、プロファイル１２６を考慮して新たなコンテンツをフィットと思われるとして選択するのを決定する場合がある。先に機能性を可能にするため、装置１０２は、オンボード・マイクロコントローラ１３０及び手段１３２（たとえば、ケーブル用のジャック、無線通信用のＩＲ又はＲＦポート等）を有している。
【００２１】
図２は、本発明におけるシステム２００の別の実施の形態のブロック図である。システム２００では、メモリ１０８は、装置１０２から取り外し可能なモジュール２０２に収容される。このように、モジュール２０２は、装置１０２とは独立にリポジトリ１０４に接続することができる。たとえば、装置１０２は、メモリ１０８に記憶されているコンテンツ情報のレンダリングに加えて更なる機能を有する意味で多機能である。別の例では、モジュール２０２は、モジュール２０２と共に動作するために構成される、多様なレンダリング又はプレイアウトデバイスと共に使用することができる。モジュール２０２は、履歴ログ、及びデバイスＩＤ又はユーザＩＤ１２８をもつユーザプロファイル１２６、及び記憶を制御するためのマイクロコントローラ１３０を更に有する。モジュール２０２は、リポジトリ１０４へのコネクションを可能にするための通信手段１３２をも有する。
【００２２】
なお、本発明は、モバイル、ポータブル又はウェアラブルＣＥデバイスにとって非常に便利なものであると思われるが、固定したＣＥ装置の有効性は、先に規定されたような条件付き上書きと同様に利益があると思われる。
【００２３】
完璧さのため、以下の文献が参照され、引用により本明細書に盛り込まれる。
米国特許シリアル番号09/374,694号（代理人事件番号PHA23,737）であって、1999年8月16日に提出され、特許協力条約の下で国際出願WO200113265として公開されたChanda  Dharapの“SEMANTIC  CACHING”。この特許明細書は、文献のセマンティクスにより支配される電子コンテンツ情報をキャッシングするためのスキームに関する。
【００２４】
米国特許シリアル番号09/635,548号（代理人事件番号US000107）であって、2000年8月10日に提出され、特許協力条約の下で国際出願WO200213556として公開されたEugene  Shteyn及びPaul  Rankinの“MOBILE  MICRO  PORTAL”。この特許明細書は、ビーコンのネットワークにより地理的な領域に関する。それぞれのビーコンは、ユーザの移動通信装置での受信のために短距離の促進信号を送信する。促進信号は、促進信号をサービスと関連付け始め、ユーザプロファイルに依存して装置を介してサービスへのユーザを条件付きで変更する。ユーザプロファイル及び、促進信号とサービスとの間の関連付けは、ユーザによりプログラム可能である。引用により盛り込まれる。
【００２５】
米国特許シリアル番号09/568,932号（代理人事件番号US000106）であって、2000年5月11日に提出され、特許協力条約の下で国際出願WO200186948として公開されたEugen  Shteyn及びRudy  Rothの“ELECTRONICS  CONTENT  GUIDE  RENDERS  CONTENT  RESOURCES  TRANSPARENT”。この特許明細書は、ホームネットワークのデータマネージメントシステムに関する。このシステムは、ネットワークの様々なリソースで利用可能なコンテンツ情報を記述するデータを収集する。データは、リソースに関わらず、コンテンツからユーザが選択するのを可能にするため、１つのメニューに結合される。
【００２６】
米国特許シリアル番号09/802,618号（代理人事件番号US018028）であって、2001年3月8日に提出され、特許協力条約の下で国際出願WO02071266として公開されたEugene  Shteynの“ACTIVITY  SCHEDULE  CONTROLS  PERSONALIZED  ELECTRONIC  CONTENT  GUIDE”。この特許明細書は、ユーザの電子カレンダーでスケジュールされるアクティビティ、及びユーザプロファイル又は宣言された関心に基づいて、電子コンテンツ情報、及びプレイアウトのためのタイムスロットを決定することに関する。このようにして、コンテンツの記録及びダウンロードは、ユーザのライフスタイルに基づいて自動化される。
【００２７】
米国特許6,256,633号（代理人事件番号PHA23,422）であって、2001年3月7日に提出されたChanda  Dharapの“CONTEXT-BASED  AND  USER-PROFILE  DRIVEN  INFORMATION  RETRIEVAL”。この特許明細書は、個人化された方式で電子データベースを通してユーザをナビゲーションするのを可能にすることに関する。ユーザのプロファイルに基づいて、コンテクストが作成され、プロファイルは、前もって部分的に形成されている。候補となるデータは、コンテクストの制御下でデータベースから選択され、ユーザは、候補と対話することが可能にされる。プロファイルは、前もってユーザにより供給される主題別の情報、及びユーザからデータベースへの前のアクセスの履歴に基づいている。
【００２８】
米国特許シリアル番号09/900,375号（代理人事件番号US018098）であって、2001年7月5日に提出されたEugene  Shteynの“DIAL  FACE  OF  WATCH  GRAPHICALLY  REPRESENTS  CALENDER”。この特許明細書は、米国特許出願US20030007420  A1として公開され、ダイアルフェイスをもつタイムピースを有する電子装置に関する。ダイアルフェイスは、スケジュールされたイベントのグラフィカルな表現を提供するディスプレイモニタを有している。この表現は、その長さがイベントの期間と関連され、そのグラフィカルな属性が前もってユーザにより指定されるようなスケジュールされたイベントのタイプと対応するセグメントを有している。この装置は、たとえば、ユーザのパーソナルエリアネットワークにおいてブルートゥースリンク（Bluetooth  link）を通してユーザのＰＤＡと通信する時計である。
【図面の簡単な説明】
【００２９】
【図１】本発明におけるブロック図である。
【図２】本発明におけるブロック図である。
【図１】
2006524857.tif 000003
【図２】
2006524857.tif 000004
【国際調査報告】
2006524857.tif 000005
2006524857.tif 000006
2006524857.tif 000007